(57)【特許請求の範囲】
【請求項１】
非可動の本体を有する操作体、この操作体から回動自在に突出した操作軸部、および、操作体を内部に組付けて収納するとともに操作軸部が外部に突出する突出開口部を有する収納部を備えた操作体装置に用いる操作体装置用カバーであって、
両端にカバー開口を備え、操作軸部から収納部にわたって嵌着されたカバー本体と、
このカバー本体の収納部側のカバー開口の縁部に沿って設けられ、収納部の突出開口部の内縁部と嵌合する凹部と、
この凹部の背面に、収納部の内部に位置する操作体の外側面に向けて突設され操作体の本体の外側面に係合することで操作体の本体の外側面との間で凹部の突出開口部の内方への変形を規制する複数の突出部と
を具備したことを特徴とする操作体装置用カバー。
【請求項２】
突出部は、互いに対向する位置に対をなして設けられている
ことを特徴とする請求項１記載の操作体装置用カバー。
【請求項３】
対をなす突出部は、複数設けられ、
一の対をなす突出部は、他の対をなす突出部と交差する方向に配置されている
ことを特徴とする請求項２記載の操作体装置用カバー。
【請求項４】
操作体としての操作弁と、
この操作弁から突出した回動自在の操作軸部と、
操作弁を内部に組付けて収納するとともに操作軸部が外部に突出する突出開口部を有する収納部と、
操作弁の操作軸部から収納部にわたって取付けられた請求項１乃至３いずれか記載の操作体装置用カバーと
を具備したことを特徴とする操作弁装置。
【発明の詳細な説明】
【技術分野】
【０００１】
本発明は、操作軸部から収納部にわたって嵌着される操作体装置用カバーおよびこれを備えた操作弁装置に関する。
【背景技術】
【０００２】
従来、例えば作業機械としての油圧ショベルは、走行モータを備えた下部走行体に、旋回部の旋回モータにより旋回可能の上部旋回体が設けられ、この上部旋回体に作業装置のブームが、ブームシリンダにより上下方向に回動自在に軸支され、このブームの先端にアームが、アームシリンダにより内外方向に回動自在に軸支され、このアームの先端にバケットが、バケットシリンダにより開閉方向に回動自在に軸支されている。
【０００３】
このような油圧ショベルにおいて、走行モータ、旋回モータ、ブームシリンダ、アームシリンダ、バケットシリンダなどの流体圧(油圧)アクチュエータの動作を制御するのは、パイロット操作式のメインコントロール弁の可動弁体である走行用ステム、旋回用ステム、ブーム用ステム、アーム用ステム、バケット用ステムであり、これらの各ステムは、一般的に、レバー操作式、あるいはペダル操作式の操作弁である油圧パイロットコントロール弁(リモコン弁)によりパイロット操作する。
【０００４】
ブームシリンダ、アームシリンダおよびバケットシリンダなどを動作させるリモコン弁は、シートの側方に設けられた収納部であるコンソールボックス内に収納されており、このリモコン弁から突出した操作軸部である操作レバーにより、オペレータに操作される。このような構成においては、操作レバーの操作性を確保しながらリモコン弁への水分や塵埃の侵入を防止するために、コンソールボックスから操作レバーにわたって、可撓性を有する蛇腹状のカバーすなわちブーツが取付けられている。このブーツは、両端が開口した略筒状に形成されており、このブーツの下端側の開口縁部に沿って、コンソールボックスに形成された突出開口部の内縁部と嵌合する凹部が形成され、上端側の開口に操作レバーが挿通されている（例えば、特許文献１乃至３参照。）。
【特許文献１】特開２００３−１２２４４１号公報(第３頁、図１)
【特許文献２】特開平６−１６０６２号公報(第２−３頁、図５)
【特許文献３】実用新案登録第２５５２５１９号公報(第２−３頁、図３)
【発明の開示】
【発明が解決しようとする課題】
【０００５】
しかしながら、上述の構成では、コンソールボックスの突出開口部の内縁部に対して、ブーツの下端側が凹部のみで嵌合しているに過ぎず、寸法の制約上、ブーツのコンソールボックスへの嵌め込み長さが充分に取れない場合には、ブーツの固定が不充分となって、操作レバーの操作などに伴い凹部とコンソールボックスの突出開口部との嵌合が外れやすいという問題点を有している。そして、このようにブーツが外れやすいことで、塵埃などがコンソールボックス内およびリモコン弁内などに入り込みやすくなる。
【０００６】
本発明は、このような点に鑑みなされたもので、操作軸部の操作時などでも外れにくい操作体装置用カバーおよびこれを備えた操作弁装置を提供することを目的とするものである。
【課題を解決するための手段】
【０００７】
請求項１記載の発明は、非可動の本体を有する操作体、この操作体から回動自在に突出した操作軸部、および、操作体を内部に組付けて収納するとともに操作軸部が外部に突出する突出開口部を有する収納部を備えた操作体装置に用いる操作体装置用カバーであって、両端にカバー開口を備え、操作軸部から収納部にわたって嵌着されたカバー本体と、このカバー本体の収納部側のカバー開口の縁部に沿って設けられ、収納部の突出開口部の内縁部と嵌合する凹部と、この凹部の背面に、収納部の内部に位置する操作体の外側面に向けて突設され操作体の本体の外側面に係合することで操作体の本体の外側面との間で凹部の突出開口部の内方への変形を規制する複数の突出部とを具備したものである。
【０００８】
請求項２記載の発明は、請求項１記載の操作体装置用カバーにおいて、突出部は、互いに対向する位置に対をなして設けられているものである。
【０００９】
請求項３記載の発明は、請求項２記載の操作体装置用カバーにおいて、対をなす突出部は、複数設けられ、一の対をなす突出部は、他の対をなす突出部と交差する方向に配置されているものである。
【００１０】
請求項４記載の発明は、操作体としての操作弁と、この操作弁から突出した回動自在の操作軸部と、操作弁を内部に組付けて収納するとともに操作軸部が外部に突出する突出開口部を有する収納部と、操作弁の操作軸部から収納部にわたって取付けられた請求項１乃至３いずれか記載の操作体装置用カバーとを具備した操作弁装置である。
【発明の効果】
【００１１】
請求項１記載の発明によれば、カバー本体の収納部側のカバー開口の縁部に沿って、収納部の突出開口部の内縁部と嵌合する凹部を設けるとともに、この凹部の背面に、収納部の内部に組付けた操作体の非可動の本体の外側面に向けて突出して操作体の外側面に係合することで操作体の本体の外側面との間で凹部の突出開口部の内方への変形を規制する突出部を突設することで、凹部側が収納部の突出開口部に対して内方へと外れようとすることを突出部により規制し、操作軸部の操作時などでも外れにくくできる。
【００１２】
請求項２記載の発明によれば、突出部を互いに対向する位置に対をなして設けることで、凹部側が収納部の突出開口部に対して内方へと外れようとすることを突出部により互いに対向する位置で規制して、より外れにくくできる。
【００１３】
請求項３記載の発明によれば、一の対をなす突出部を、他の対をなす突出部と交差する方向に配置することで、それぞれの対をなす突出部により、凹部側が収納部の突出開口部に対して内方へと外れようとすることを、より確実に規制できる。
【００１４】
請求項４記載の発明によれば、操作軸部の操作時などでも外れにくい請求項１乃至３いずれか記載の操作体装置用カバーを備えることで、操作弁などを確実に防塵できる。
【発明を実施するための最良の形態】
【００１５】
以下、本発明の一実施の形態を図１乃至図６を参照しながら詳細に説明する。
【００１６】
図５および図６に示されるように、作業機械11は、機体12として、履帯により走行可能な下部走行体13と、この下部走行体13に対し旋回可能に設けられた小旋回型の上部旋回体14とを備え、この上部旋回体14には、図示されないエンジンやこのエンジンにより駆動される流体圧(油圧)ポンプを有する動力装置と、オペレータの運転室であるキャブ18と、小旋回型の作業装置19とが搭載された油圧ショベルである。
【００１７】
この作業装置19は、上部旋回体14にブーム21が上下方向回動自在に軸支され、このブーム21の上部にはオフセット機構22が設けられ、このオフセット機構22により左右方向へ平行移動可能なアーム23が前後方向回動自在に軸支され、このアーム23の先端にバケット24が回動自在に軸支され、そして、ブーム21は、流体圧アクチュエータとしてのブームシリンダ25により上下方向に回動され、アーム23は、ブーム21のオフセット機構22に設けられた流体圧アクチュエータとしてのオフセットシリンダ26により左右方向に平行移動されるとともに、流体圧アクチュエータとしてのアームシリンダ27により前後方向に回動され、バケット24は、リンク機構28を介して流体圧アクチュエータとしてのバケットシリンダ29により回動される。
【００１８】
そして、図３および図４に示されるように、キャブ18内では、機体12の一部を構成するプラットホーム31上にオペレータ着座用のシート32が設けられ、このシート32の左右両側にそれぞれ収納部としての合成樹脂製などのコンソールボックス33が配置され、これらのコンソールボックス33の前端部にそれぞれ操作体としての操作弁であるリモコン弁34が収納され、これらリモコン弁34の上部にそれぞれ操作軸部である作業用操作レバー35が突出され、この作業用操作レバー35とコンソールボックス33との間にわたって、コンソールボックス33、リモコン弁34および作業用操作レバー35により構成される操作体装置Ａに用いられる操作体装置用カバーとしてのブーツ36が取付けられ、また、シート32の前方に左右一対の走行用ペダル37およびレバー38がそれぞれ配置され、右側の走行用ペダル37のさらに右側にアタッチメント操作ペダル39が配置されている。そして、コンソールボックス33、リモコン弁34、作業用操作レバー35およびブーツ36などにより、操作弁装置としてのリモコン弁装置40が構成されている。
【００１９】
リモコン弁34は、図１および図２に示されるように、平面視四角形状の弁本体41の上部に、図１前後方向の回動支軸42を中心に左右方向に回動される作業用操作レバー35によりロッド押圧部材である円板43を介し押下げられる左右一対のプッシュロッド44が液密に摺動自在に嵌着され、これらのプッシュロッド44の下側にそれぞれロッド(図示せず)を介して設けられた左右一対の一のスプール(図示せず)が、弁本体41の下部に摺動自在に嵌合されている。
【００２０】
同様に、図１左右方向の回動支軸(図示せず)を中心に前後方向に回動される作業用操作レバー35により円板43を介し押下げられる前後一対のプッシュロッド(図示せず)が、弁本体41の上部に液密に摺動自在に嵌着され、これらのプッシュロッドの下側にそれぞれロッドを介して設けられた前後一対の他のスプールが、弁本体41の下部に摺動自在に嵌合されている。
【００２１】
各プッシュロッド44は、弁本体41内に設けられた大径側のスプリング(図示せず)により上方へ付勢されている。また、各スプールは、プッシュロッド44を付勢するスプリングの内径側に設けられたスプリング(図示せず)により、下方へ付勢されているが、戻り圧により上方へ移動可能となっている。
【００２２】
左右一対のスプールは、メインコントロール弁(図示せず)の一のステムの一端面または他端面に対してパイロット圧をそれぞれ出力し、前後一対のスプールは、メインコントロール弁の他のステムの一端面または他端面に対してパイロット圧をそれぞれ出力するものである。
【００２３】
弁本体41内には、パイロットポンプに連通されたパイロット１次圧供給側の１次側通路と、作動油タンクに連通されたリターン室と、スプールの位置により１次側通路あるいはリターン室に連通可能のパイロット２次圧供給側の２次側通路とが設けられている。そして、スプールが下方へ移動すると、１次側通路と２次側通路とが連通し、スプールが上方へ移動すると、２次側通路とリターン室とが連通するように構成されている。
【００２４】
弁本体41の下面にはプレート46が液密に取付けられ、このプレート46には、各２次側通路に連通されたポート47と、１次側通路に連通されたポート48と、リターン通路に連通されたポート49とが、それぞれ設けられている。
【００２５】
各２次側通路のポート47は、ポンプである可変容量形ポンプから上記各シリンダ25，26，27，29などのアクチュエータに供給される作動油を方向制御および絞り制御するメインコントロール弁のステムの一端部および他端部に、それぞれのパイロットラインで連通されている。
【００２６】
そして、弁本体41の上部には、プッシュロッド44および円板43などを覆ってベロー50が取付けられている。
【００２７】
作業用操作レバー35は、リモコン弁34の上部中央に螺着されたねじ51の頭部に、ユニバーサルジョイントまたはボールジョイントなどの自在継手52により、３６０°の任意の方向へ回動自在に設けられている。
【００２８】
自在継手52がユニバーサルジョイントである場合は、図１前後方向の回動支軸42を中心に、一方向としての左右方向に回動されるとともに、図１左右方向の回動支軸を中心に、一方向と交差する他方向としての前後方向に回動されるジョイント部材54を有する。
【００２９】
このジョイント部材54のねじ部55に、円板43が螺合され、さらに調整ナット56の下部が螺合され、この調整ナット56の上部およびその上側に設けられたロックナット57にレバー軸58の下部が螺入され、ロックナット57により固定されている。レバー軸58の上部には、ハンドル59が一体的に設けられている。
【００３０】
ブーツ36は、例えばゴムと合成樹脂とを混合した材料などにより、上端および下端にそれぞれカバー開口としてのブーツ開口61，62を有する角筒状に形成された蛇腹状のカバー本体であるブーツ本体63を備え、このブーツ本体63のコンソールボックス33側である下側のブーツ開口62の縁部に沿って、凹部64が形成されているとともに、この凹部64の背面側である内縁側に、複数、例えば４つの突出部65が突設されている。
【００３１】
凹部64は、ブーツ本体63の外側に向けて突出した嵌込片部66とブーツ本体63との間に形成され、コンソールボックス33の上部に開口形成された突出開口部としてのボックス開口部67の内縁部に嵌合する部分であり、ブーツ本体63のブーツ開口62の外縁部の前後左右のそれぞれの辺部にわたって全周に連続している。
【００３２】
嵌込片部66は、ボックス開口部67からコンソールボックス33の内部へと挿入され、コンソールボックス33の内面に沿って位置している。また、この嵌込片部66の長さは、ブーツ36の下側のブーツ開口62から弁本体41の外面までの距離よりも長く設定されている。
【００３３】
突出部65は、互いに対向する位置、例えば前後方向および左右方向にそれぞれ対をなして形成され、弁本体41の外側面に向けて突出している。したがって、互いに対向する一対の突出部65，65は、他の一対の突出部65，65に対して略直交する方向に配置されている。そして、これら突出部65の先端側は、弁本体41の各辺の上部の外縁部から平面視で略円弧状に突出するフランジ部69に係合(当接)している。また、各突出部65は、基端側から先端側に向けて幅寸法が小さくなるように形成されている。
【００３４】
次に、上記一実施の形態のリモコン弁装置40の組立て手順を説明する。
【００３５】
まず、弁本体41に対してプッシュロッド44、円板43、ベロー50およびレバー軸58などを取付けたユニットを、コンソールボックス33のボックス開口部67内部に組付け、このボックス開口部67から、レバー軸58側を上方に突出させる。
【００３６】
この状態で、ブーツ36を上側から被せ、このブーツ36の下端側の凹部64をボックス開口部67の内縁部に嵌合させると、各突出部65が弁本体41のフランジ部69の該側面に突出する。
【００３７】
この後、ブーツ36の上側のブーツ開口61から突出させたレバー軸58に対してハンドル59を固定して、リモコン弁装置40を完成する。
【００３８】
次に、上記一実施の形態のリモコン弁装置40の作用を説明する。
【００３９】
オペレータが作業用操作レバー35を図１中の右側(左側)に回動させると、右側(左側)のスプールが押し下げられ、パイロットポンプから１次側通路に供給されたパイロット１次圧油が、スプールの変位量に応じて圧力制御され、パイロット２次圧油として各２次側通路に流れ、ポート47からパイロットラインを経て、メインコントロール弁のステムの一端側に作用する。
【００４０】
ステムは、このパイロット２次圧に応じてストロークし、可変容量形ポンプから各シリンダ25，26，27，29などのアクチュエータの一端側に供給され、このアクチュエータの他端側から作動油タンクへと戻される作動油の方向および流量を制御し、アクチュエータを動作させる。
【００４１】
一方、ステムの他端側から押し出されたパイロット戻り油は、パイロットラインを経て２次側通路を介してリターン室に戻され、さらに作動油タンクへと戻される。
【００４２】
次に、上記一実施の形態のリモコン弁装置40の効果を列記する。
【００４３】
ブーツ本体63のコンソールボックス33側のブーツ開口62の縁部に沿って、ボックス開口部67の内縁部と嵌合する凹部64を設けるとともに、この凹部64の背面側に、リモコン弁34の外側面に向けて複数の突出部65を、このリモコン弁34の外側面に係合可能に突設することにより、凹部64側がボックス開口部67に対して内方へと外れようと変形すると、各突出部65の先端側がリモコン弁34に接触してこの変形が規制されるので、作業用操作レバー35の操作時などでも外れにくくできる。
【００４４】
また、これら突出部65は、ブーツ36の取外し時には、リモコン弁34の外側部との間で突っ張ってこの取外しを妨げるものの、ブーツ36の取付けを妨げることがなく、ブーツ36の取付け作業性が低下することがない。
【００４５】
さらに、突出部65，65を互いに対向する位置に対をなして設けることで、凹部64側がボックス開口部67に対して内方へと外れようとすることを突出部65，65により互いに対向する位置で規制して、ブーツ36をコンソールボックス33などに対して、より外れにくくできる。特に、突出部65，65の先端側をリモコン弁34に対して接触させることで、リモコン弁34を互いに対向する位置から挟持して、ブーツ36を、より確実に抜け止めできる。
【００４６】
しかも、互いに対向する一方の一対の突出部65，65と、互いに対向する他方の一対の突出部65，65とを、平面視で互いに交差(直交)する位置に配置することで、ブーツ36の凹部64側がボックス開口部67に対して内方へと外れようとすることを、より確実に規制でき、ブーツ36をより確実に抜け止めできる。特に、作業用操作レバー35は、３６０°の任意の方向へ回動自在であるため、前後方向と左右方向との４方向から突出部65を突出させることで、作業用操作レバー35をどの方向に操作した場合でも、いずれかの突出部65が凹部64側の内方への変形を規制し、ブーツ36の外れを確実に防止できる。
【００４７】
そして、作業用操作レバー35の操作時などでも外れにくいブーツ36を備えることで、リモコン弁34およびコンソールボックス33内などを確実に防塵でき、塵埃や水などの侵入に起因する故障などを防止でき、信頼性を向上できる。
【００４８】
なお、上記一実施の形態において、突出部65は、ブーツ本体63の下側のブーツ開口62の内方に複数突出させれば、それらの位置については任意に設定できる。すなわち、ブーツ本体63の形状によっては、突出部65を２箇所に設ける構成、あるいは３箇所以上に設ける構成などとすることが可能である。
【００４９】
また、突出部65の先端側は、リモコン弁34の外側面に向けて突出してこの外側面に係合可能であれば、このリモコン弁34に対して常時係合(当接)させていなくても同様の作用効果を奏することができる。
【００５０】
さらに、リモコン弁装置40は、作業機械11以外でも任意の流体圧回路などに用いることができる。
【００５１】
そして、ブーツ36は、例えば自動車のシフトレバーなど、操作体、操作体から突出した操作軸部および操作体を収納し操作軸部が突出する突出開口部を備えた収納部などを有する任意の操作体装置に対して用いることが可能である。
【図面の簡単な説明】
【００５２】
【図１】本発明に係る操作体装置用カバーを備えた操作弁装置の一実施の形態を示す縦断面図である。
【図２】同上操作弁装置を示す下面図である。
【図３】同上操作弁装置近傍を前方から示す斜視図である。
【図４】同上操作弁装置を備えたキャブ内部の一部を示す斜視図である。
【図５】同上操作弁装置を備えた作業機械を示す側面図である。
【図６】同上作業機械を示す平面図である。
【符号の説明】
【００５３】
Ａ    操作体装置
33    収納部としてのコンソールボックス
34    操作体としての操作弁であるリモコン弁
35    操作軸部である作業用操作レバー
36    操作体装置用カバーとしてのブーツ
40    操作弁装置としてのリモコン弁装置
41 本体である弁本体
61，62    カバー開口としてのブーツ開口
63    カバー本体としてのブーツ本体
64    凹部
65    突出部
67    突出開口部としてのボックス開口部
【図１】
0005344457.tif 000002
【図２】
0005344457.tif 000003
【図３】
0005344457.tif 000004
【図４】
0005344457.tif 000005
【図５】
0005344457.tif 000006
【図６】
0005344457.tif 000007